【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
回転子のコア内部に複数の磁極を形成する永久磁石を備えた永久磁石モータにおいて、
前記永久磁石は、保磁力が異なる複数種類の永久磁石から構成され、
これら永久磁石は、１磁極当たり１種類となるように配置され、
前記永久磁石のうち相対的に保磁力が小さい永久磁石は、
磁気分極と磁界強度の関係を示すヒステリシスループにおいて第２象限に存在する点から増磁磁界を作用させると、この増磁時における磁化率の変曲点までは磁化率がほぼ０であり且つ前記増磁時における磁化率の変曲点を増磁側に越えると第１象限において前記ヒステリシスループに漸近するループに入る磁気特性を有するとともに、
前記ヒステリシスループにおいて第１象限に存在する点から減磁磁界を作用させると、この減磁時における磁化率の変曲点までは磁化率がほぼ０であり且つ前記減磁時における磁化率の変曲点を減磁側に越えると第２象限において前記ヒステリシスループに漸近するループに入る磁気特性を有することを特徴とする永久磁石モータ。
【請求項２】
前記永久磁石は、ほぼ環状に配置されていることを特徴とする請求項１に記載の永久磁石モータ。
【請求項３】
前記永久磁石を、保磁力が異なる２種類の永久磁石から構成し、
これら永久磁石を１磁極当たり１種類で交互に配置したことを特徴とする請求項１または２に記載の永久磁石モータ。
【請求項４】
前記２種類の永久磁石は、保磁力が２倍以上異なることを特徴とする請求項３に記載の永久磁石モータ。
【請求項５】
前記永久磁石のうち相対的に保磁力が小さい永久磁石の磁束密度と磁界強度の関係は、使用する温度範囲において屈曲点が第２象限に存在するように設定されていることを特徴とする請求項１ないし４の何れかに記載の永久磁石モータ。
【請求項６】
前記屈曲点の磁界強度は、５００ｋＡ／ｍ以下であることを特徴とする請求項５に記載の永久磁石モータ。
【請求項７】
前記永久磁石は、希土類磁石で構成されていることを特徴とする請求項５または６に記載の永久磁石モータ。
【請求項８】
前記増磁時における磁化率の変曲点は、第１象限に存在するように設定されていることを特徴とする請求項１に記載の永久磁石モータ。
【請求項９】
前記増磁時における磁化率の変曲点の磁界強度は、前記ヒステリシスループにおいて第４象限に存在する磁化率の変曲点の磁界強度とほぼ同じ、または、大きく設定されているとともに、
前記減磁時における磁化率の変曲点の磁界強度は、前記ヒステリシスループにおいて第２象限に存在する磁化率の変曲点の磁界強度とほぼ同じ、または、小さく設定されていることを特徴とする請求項１に記載の永久磁石モータ。
【請求項１０】
回転子のコア内部に複数の磁極を形成する永久磁石を備えた永久磁石モータと、
この永久磁石モータの駆動を制御する制御部と、
を備え、
前記永久磁石は、保磁力が異なる複数種類の永久磁石から構成され、
これら永久磁石は、１磁極当たり１種類となるように配置され、
前記永久磁石のうち相対的に保磁力が小さい永久磁石は、
磁気分極と磁界強度の関係を示すヒステリシスループにおいて第２象限に存在する点から増磁磁界を作用させると、この増磁時における磁化率の変曲点までは磁化率がほぼ０であり且つ前記増磁時における磁化率の変曲点を増磁側に越えると第１象限において前記ヒステリシスループに漸近するループに入る磁気特性を有するとともに、
前記ヒステリシスループにおいて第１象限に存在する点から減磁磁界を作用させると、この減磁時における磁化率の変曲点までは磁化率がほぼ０であり且つ前記減磁時における磁化率の変曲点を減磁側に越えると第２象限において前記ヒステリシスループに漸近するループに入る磁気特性を有し、
前記制御部は、前記永久磁石のうち相対的に保磁力が小さい永久磁石の磁化状態を切り換えられるように構成されていることを特徴とする洗濯機。
【請求項１１】
前記制御部は、前記永久磁石のうち相対的に保磁力が小さい永久磁石の磁化状態を運転行程ごとに切り換えられるように構成したことを特徴とする請求項１０に記載の洗濯機。
【請求項１２】
前記運転行程は、洗濯、脱水または乾燥のいずれかであることを特徴とする請求項１１に記載の洗濯機。
【請求項１３】
回転子のコア内部に複数の磁極を形成する永久磁石を備えた永久磁石モータの駆動を制御する制御装置において、
前記永久磁石は、保磁力が異なる複数種類の永久磁石から構成され、
これら永久磁石は、１磁極当たり１種類となるように配置され、
前記永久磁石のうち相対的に保磁力が小さい永久磁石は、
磁気分極と磁界強度の関係を示すヒステリシスループにおいて第２象限に存在する点から増磁磁界を作用させると、この増磁時における磁化率の変曲点までは磁化率がほぼ０であり且つ前記増磁時における磁化率の変曲点を増磁側に越えると第１象限において前記ヒステリシスループに漸近するループに入る磁気特性を有するとともに、
前記ヒステリシスループにおいて第１象限に存在する点から減磁磁界を作用させると、この減磁時における磁化率の変曲点までは磁化率がほぼ０であり且つ前記減磁時における磁化率の変曲点を減磁側に越えると第２象限において前記ヒステリシスループに漸近するループに入る磁気特性を有し、
前記永久磁石のうち相対的に保磁力が小さい永久磁石の磁化状態を切り換えられるように構成されていることを特徴とする制御装置。
【手続補正２】
【補正対象書類名】明細書
【補正対象項目名】発明の名称
【補正方法】変更
【補正の内容】
【発明の名称】永久磁石モータ、洗濯機、および、制御装置
【手続補正３】
【補正対象書類名】明細書
【補正対象項目名】０００１
【補正方法】変更
【補正の内容】
【０００１】
本発明は、回転子のコア内部に複数の永久磁石を備えた永久磁石モータ、当該永久磁石モータを備えた洗濯機、および、当該永久磁石モータの駆動を制御する制御装置に関する。
【手続補正４】
【補正対象書類名】明細書
【補正対象項目名】０００５
【補正方法】変更
【補正の内容】
【０００５】
本発明は、上記した事情に鑑みてなされたものであり、その目的は、駆動する負荷に応じた永久磁石の磁束量の調整を、高速回転時の絶縁破壊や低速回転時の出力低下などを招くことなく、しかも、簡素な構成にて実現できる永久磁石モータ、当該永久磁石モータを備えた洗濯機、および、当該永久磁石モータの駆動を制御する制御装置を提供することにある。
【手続補正５】
【補正対象書類名】明細書
【補正対象項目名】０００６
【補正方法】変更
【補正の内容】
【０００６】
本発明の請求項１記載の永久磁石モータは、回転子のコア内部に複数の磁極を形成する永久磁石を備えた永久磁石モータにおいて、前記永久磁石を、保磁力が異なる複数種類の永久磁石から構成し、これら永久磁石を１磁極当たり１種類となるように配置し、前記永久磁石のうち相対的に保磁力が小さい永久磁石を、磁気分極と磁界強度の関係を示すヒステリシスループにおいて第２象限に存在する点から増磁磁界を作用させると、この増磁時における磁化率の変曲点までは磁化率がほぼ０であり且つ前記増磁時における磁化率の変曲点を増磁側に越えると第１象限において前記ヒステリシスループに漸近するループに入る磁気特性を有するとともに、前記ヒステリシスループにおいて第１象限に存在する点から減磁磁界を作用させると、この減磁時における磁化率の変曲点までは磁化率がほぼ０であり且つ前記減磁時における磁化率の変曲点を減磁側に越えると第２象限において前記ヒステリシスループに漸近するループに入る磁気特性を有するように構成したことに特徴を有している。
【手続補正６】
【補正対象書類名】明細書
【補正対象項目名】０００７
【補正方法】変更
【補正の内容】
【０００７】
本発明の請求項１０記載の洗濯機は、回転子のコア内部に複数の磁極を形成する永久磁石を備えた永久磁石モータと、この永久磁石モータの駆動を制御する制御部とを備え、前記永久磁石は、保磁力が異なる複数種類の永久磁石から構成され、これら永久磁石は、１磁極当たり１種類となるように配置され、前記永久磁石のうち相対的に保磁力が小さい永久磁石は、磁気分極と磁界強度の関係を示すヒステリシスループにおいて第２象限に存在する点から増磁磁界を作用させると、この増磁時における磁化率の変曲点までは磁化率がほぼ０であり且つ前記増磁時における磁化率の変曲点を増磁側に越えると第１象限において前記ヒステリシスループに漸近するループに入る磁気特性を有するとともに、前記ヒステリシスループにおいて第１象限に存在する点から減磁磁界を作用させると、この減磁時における磁化率の変曲点までは磁化率がほぼ０であり且つ前記減磁時における磁化率の変曲点を減磁側に越えると第２象限において前記ヒステリシスループに漸近するループに入る磁気特性を有し、前記制御部は、前記永久磁石のうち相対的に保磁力が小さい永久磁石の磁化状態を切り換えられるように構成したことに特徴を有している。
本発明の請求項１３記載の制御装置は、回転子のコア内部に複数の磁極を形成する永久磁石を備えた永久磁石モータの駆動を制御する制御装置において、前記永久磁石は、保磁力が異なる複数種類の永久磁石から構成され、これら永久磁石は、１磁極当たり１種類となるように配置され、前記永久磁石のうち相対的に保磁力が小さい永久磁石は、磁気分極と磁界強度の関係を示すヒステリシスループにおいて第２象限に存在する点から増磁磁界を作用させると、この増磁時における磁化率の変曲点までは磁化率がほぼ０であり且つ前記増磁時における磁化率の変曲点を増磁側に越えると第１象限において前記ヒステリシスループに漸近するループに入る磁気特性を有するとともに、前記ヒステリシスループにおいて第１象限に存在する点から減磁磁界を作用させると、この減磁時における磁化率の変曲点までは磁化率がほぼ０であり且つ前記減磁時における磁化率の変曲点を減磁側に越えると第２象限において前記ヒステリシスループに漸近するループに入る磁気特性を有し、前記永久磁石のうち相対的に保磁力が小さい永久磁石の磁化状態を切り換えられるように構成されていることに特徴を有している。
【手続補正７】
【補正対象書類名】明細書
【補正対象項目名】０００９
【補正方法】変更
【補正の内容】
【０００９】
本発明の請求項１０記載の洗濯機、および、本発明の請求項１３記載の制御装置によれば、永久磁石の磁束量を効率よく調整することができる。